(57)【要約】【課題】イベント報知の前後における操作性を向上させる。【解決手段】処理装置に関する複数の設定項目を表示させて設定を受け付ける制御装置を提供する。前記制御装置は、前記設定項目を一列に並べて表示させる第一表示部と、前記処理装置に関連するイベントの発生を検知するイベント検知部と、前記処理装置に関連する第一イベントの発生を検知したことに応じて、前記設定項目の列に前記第一イベントの発生を示す第一イベントオブジェクトを加えて表示させる第二表示部と、を備える。【選択図】図２
2017040992.tif 000002
【特許請求の範囲】
【請求項１】
処理装置に関する複数の設定項目を表示させて設定を受け付ける制御装置であって、
前記設定項目を一列に並べて表示させる第一表示部と、
前記処理装置に関連するイベントの発生を検知するイベント検知部と、
前記処理装置に関連する第一イベントの発生を検知したことに応じて、前記設定項目の列に前記第一イベントの発生を示す第一イベントオブジェクトを加えて表示させる第二表示部と、
を備える制御装置。
【請求項２】
前記第二表示部は、前記第一イベントの発生を検知したことに応じて、前記設定項目の整列順において前記第一イベントオブジェクトの加入予定位置よりも前の設定項目を前記整列順の前側に移動させ、前記整列順において前記加入予定位置以降の設定項目を前記整列順の後ろ側に移動させ、移動後の前記前の設定項目と移動後の前記以降の設定項目との間に前記第一イベントオブジェクトを表示させる、
請求項１に記載の制御装置。
【請求項３】
ユーザーによる操作を検知する操作検知部を備え、
前記第二表示部は、前記第一イベントオブジェクトに対する第一操作を検知したことに応じて、前記第一イベントを示す第一イベント詳細オブジェクトを表示し、前記第一イベントオブジェクトに対する第二操作を検知したことに応じて、前記設定項目の列から前記第一イベントオブジェクトを取り除き、前記第一イベントオブジェクトを加える前の状態に前記設定項目の列を戻す、
請求項１または請求項２に記載の制御装置。
【請求項４】
前記第二表示部は、前記設定項目の整列方向と異なる方向に前記第一イベントオブジェクトを移動させることによって前記設定項目の列に加える、
請求項１〜請求項３のいずれかに記載の制御装置。
【請求項５】
前記第二表示部は、前記処理装置に関連する第二イベントの発生を検知したことに応じて、前記設定項目の列外に前記第二イベントの発生を示す第二イベントオブジェクトを表示させる、
請求項１〜請求項４のいずれかに記載の制御装置。
【請求項６】
処理装置に関する複数の設定項目を表示させて設定を受け付ける制御装置の制御プログラムであって、
前記設定項目を一列に並べて表示させる第一表示機能と、
前記処理装置に関連するイベントの発生を検知する検知機能と、
前記処理装置に関連する第一イベントの発生を検知したことに応じて、前記設定項目の列に前記第一イベントの発生を示す第一イベントオブジェクトを加えて表示させる第二表示機能と、
を制御装置に実現させる制御プログラム。
【発明の詳細な説明】
【技術分野】
【０００１】
本発明は、制御装置および制御プログラムに関し、特にユーザーインターフェースに関する。
【背景技術】
【０００２】
従来、多機能プリンターのディスプレイに対してユーザーが操作を行っている際に、並行して別のイベントが発生した場合に、当該イベントを報知するためのポップアップオブジェクトをタッチパネルに表示することが知られている（例えば特許文献１）。
【先行技術文献】
【特許文献】
【０００３】
【特許文献１】特開２０１３−１０５１８２号公報
【発明の概要】
【発明が解決しようとする課題】
【０００４】
しかしポップアップオブジェクトは、それまでユーザーが操作していた画面領域の上に重ねて表示されているという印象をユーザーに与える。そのため、ポップアップオブジェクトで報知されるイベントが発生する前までユーザーが行っていた操作の流れが断ち切られたようにユーザーに感じさせてしまうという問題があった。
本発明は、イベント報知の前後における操作性を向上させることを目的とする。
【課題を解決するための手段】
【０００５】
上記目的を達成するための制御装置は、処理装置に関する複数の設定項目を表示させて設定を受け付ける装置であり、設定項目を一列に並べて表示させる第一表示部と、処理装置に関連するイベントの発生を検知する検知部と、処理装置に関連する第一イベントの発生を検知したことに応じて、設定項目の列に第一イベントの発生を示す第一イベントオブジェクトを加えて表示させる第二表示部と、を備える。
【０００６】
設定項目の列に第一イベントオブジェクトを加えて表示させるとは、すなわち、設定項目の列が表示されている画面領域内において第一イベントオブジェクトが表示されることを意味する。また、本発明の場合、設定項目は一列に並べられているため、ユーザーは列の並び（流れ）に沿って設定項目を視認し、設定項目に対して操作を行う。第一イベントオブジェクトは、このような設定項目の列に加えて表示されるため、ユーザーは設定項目の列の並び（流れ）に沿って第一イベントオブジェクトを視認することができる。したがって本発明の構成の場合、設定項目が表示されている画面領域の上にポップアップオブジェクトを重ねて表示させる従来の構成と比較すると、設定項目に対する操作の流れが断ち切られたという印象をユーザーに与えにくい状態で第一イベントの発生をユーザーに報知することができる。その結果、イベント報知の前後における操作性を従来の構成より向上させることができる。
【０００７】
なお、第一イベントオブジェクトは、設定項目の列に加えて表示される限りにおいて列のどの位置に加えられてもよい。
【０００８】
さらに、上記目的を達成するための制御装置において、第二表示部は、第一イベントの発生を検知したことに応じて、設定項目の整列順において第一イベントオブジェクトの加入予定位置よりも前の設定項目を整列順の前側に移動させ、整列順において加入予定位置以降の設定項目を整列順の後ろ側に移動させ、移動後の前記前の設定項目と移動後の前記以降の設定項目との間に第一イベントオブジェクトを表示させてもよい。
【０００９】
この場合、列の端ではなく列の間に第一イベントオブジェクトを加える（割り込ませる）構成であるため、列の端に加える構成と比較するとユーザーの注意を惹きやすい。なお本構成においては、整列順において加入予定位置以降の設定項目は整列順の後ろ側に移動されるため、例えば加入予定位置に重なる位置に表示中の設定項目は整列順の後ろ側に移動される。また例えば、設定項目の整列順において第一イベントオブジェクトの加入予定位置以前の設定項目を整列順の前側に移動させ、整列順において加入予定位置よりも後ろの設定項目は整列順の後ろ側に移動させ、移動後の前記以前の設定項目と移動後の前記後ろの設定項目との間に第一イベントオブジェクトを表示させてもよい。この構成の場合は、例えば加入予定位置に重なる位置に表示中の設定項目は整列順の前側に移動される。
【００１０】
さらに、上記目的を達成するための制御装置は、ユーザーによる操作を検知する操作検知部を備えてもよい。その場合に第二表示部は、第一イベントオブジェクトに対する第一操作を検知したことに応じて、第一イベントを示す第一イベント詳細オブジェクトを表示し、第一イベントオブジェクトに対する第二操作を検知したことに応じて、設定項目の列から第一イベントオブジェクトを取り除き第一イベントオブジェクトを加える前の状態に設定項目の列を戻してもよい。
【００１１】
この構成の場合、ユーザーは、第一イベント詳細オブジェクトの表示と第一イベントオブジェクトの列からの除去という二種類の処理を、第一イベントオブジェクトに対する二種類の操作を使い分けることにより制御装置に実行させることができる。なお、第一イベント詳細オブジェクトは例えば、第一イベントに関する第一イベントオブジェクトよりも詳細な情報を含んだ表示要素であってもよいし、第一イベントに対する対処をユーザーに行わせるためのダイアログボックス等の表示要素を想定してもよい。また、第二操作に応じて設定項目の列から第一イベントオブジェクトが取り除かれた後、第一イベントオブジェクトは形や大きさを変えて列外において表示されてもよい。
【００１２】
さらに、上記目的を達成するための制御装置において、第二表示部は、設定項目の整列方向と異なる方向（整列方向と平行でない方向）に第一イベントオブジェクトを移動させることによって設定項目の列に加えてもよい。
この場合、設定項目の整列方向と同じ方向（整列方向と平行な方向）に第一イベントオブジェクトを移動させて列に加える場合と比較して、第一イベントオブジェクトが設定項目の列に加わっていく動きをユーザーに認識させやすい。
【００１３】
さらに、上記目的を達成するための制御装置において、第二表示部は、処理装置に関連する第二イベントの発生を検知したことに応じて、設定項目の列外に第二イベントの発生を示す第二イベントオブジェクトを表示させてもよい。
すなわち、イベントの種類に応じて設定項目の列に加えて表示する場合と、設定項目の列外に表示する場合とが存在してもよい。設定項目の列外に表示させる第二イベントは列に加えて表示させる第一イベントより、例えば重要度や緊急度が低く設定されているイベントであってよい。その結果、ユーザーによる緊急の対処を特に必要としない第二イベントを示す第二イベントオブジェクトも設定項目の列に加えて表示する場合と比較して、ユーザーを設定項目に対する操作に集中させることができる。
【００１４】
なお本発明は、上述の機能を制御装置に実現させるための制御プログラムの発明としても成立する。また請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【図面の簡単な説明】
【００１５】
【図１】ＭＦＰの概略構成を示すブロック図。
【図２】（２Ａ）〜（２Ｃ）は表示制御を示す図。
【図３】（３Ａ）〜（３Ｃ）は表示制御と操作を示す図。
【図４】（４Ａ）〜（４Ｃ）は表示制御と操作を示す図。
【発明を実施するための形態】
【００１６】
以下、本発明の実施の形態を添付図面を参照しながら説明する。尚、各図において対応する構成要素には同一の符号が付され、重複する説明は省略される。
１．第一実施形態：
１−１．構成：
図１は、本発明の実施形態にかかる多機能プリンター（ＭＦＰ）１の概略構成を示すブロック図である。ＭＦＰ１は、制御部１１、ユーザーＩ／Ｆ部１２、印刷部１３、画像読取部１４、通信Ｉ／Ｆ部１５等を備える。制御部１１は、ＣＰＵや不揮発性メモリやＲＡＭやＡＳＩＣ等からなり、不揮発性メモリに記録された制御プログラムをＣＰＵが実行することによってＭＦＰ１の各部を制御することができる。ユーザーＩ／Ｆ部１２は、タッチパネル１２ａやキー入力部１２ｂ等を備える。キー入力部１２ｂには例えば、スタートキーや、ホームキーや、戻るキー等が含まれる。
【００１７】
印刷部１３は、インクジェット方式、電子写真方式など周知の印刷方式で写真紙・普通紙・ＯＨＰシートなどの印刷媒体に印刷を実行するためのアクチュエーターやセンサーや駆動回路や機械部品を備えている。印刷部１３は、印刷部１３内で各種のイベントが発生すると、当該イベントの発生を制御部１１に通知する。各種イベントとは例えば、印刷媒体の残量が０になるというイベントや、印刷媒体が搬送路内で詰まるというイベントや、インク等の記録剤の残量が予め決められた量以下になるというイベント等を想定してよい。
【００１８】
画像読取部１４は、原稿台に載置された原稿に発光し原稿からの反射光をＲＧＢの各色に分解してスキャン画像データとする周知のカラーイメージセンサーや、原稿を搬送するためのアクチュエーターや駆動回路や機械部品を備えている。画像読取部１４は、画像読取部１４内で起きた各種イベントを制御部１１に通知することができる。通信Ｉ／Ｆ部１５は、外部機器と有線または無線で通信するための各種の通信インターフェース回路を備えている。例えば通信Ｉ／Ｆ部１５は外部機器から印刷ジョブを受信し、制御部１１に印刷ジョブの受信を通知することができる。
【００１９】
制御部１１は制御プログラムを実行することにより、タッチパネル１２ａに後述するような設定メニューを表示し、タッチパネル１２ａの表示内容に応じてなされたタッチパネル１２ａやキー入力部１２ｂに対するユーザーの操作を検知することができる。また制御部１１は、制御プログラムを実行することにより、印刷部１３や画像読取部１４からイベントを示す情報を取得したり、通信Ｉ／Ｆ部１５から印刷部１３や画像読取部１４に関連するイベントを示す情報を取得することによって、印刷部１３や画像読取部１４に関連してＭＦＰ１において発生したイベントを検知することができる。したがって制御プログラムを実行する制御部１１は「第一表示部」、「イベント検知部」、「第二表示部」および「操作検知部」として機能する。印刷部１３および画像読取部１４は「処理装置」に相当する。
【００２０】
１−２．イベント発生時の表示制御と操作例：
次に、ＭＦＰ１のユーザーＩ／Ｆ部１２をユーザーＡが操作中にイベントが発生した場合の表示制御と操作例について図２〜図４を参照しながら説明する。説明の便宜のため、タッチパネル１２ａの矩形形態の画面１２ａ１の左上の頂点を原点Ｏとして、互いに直交するｘ軸とｙ軸を定める。なおｙ軸正方向は画面１２ａ１内における下向きの方向であるとし、ｘ軸正方向は画面１２ａ１内における右向きの方向であるとして以降の説明を行う。ＭＦＰ１はコピー機能やスキャン機能を有しており、図２は、コピー機能に関するメニューが画面１２ａ１に表示されていることを示している。
【００２１】
画面１２ａ１のタイトル領域１００にはコピー機能のメニューであることを示すために「コピー」という文字が表示されている。画面１２ａ１の設定項目領域１１０には、コピー機能に関する複数の設定項目を示すオブジェクトａ１〜ａ６がｙ軸と平行に、ｙ軸負側から正側に一列に整列して表示されている（ｙ軸と平行なラインＬに沿ってオブジェクトａ１〜ａ６は並んでいる）。なお設定項目の「整列方向」は本実施形態においてはｙ軸と平行な方向を意味する。図２Ａに示す状態ではａ１〜ａ６の６つの設定項目を示すオブジェクトが表示されているが、設定項目領域１１０内でｙ軸と平行な方向の移動を少なくとも伴うスワイプ操作（ｘ軸と平行な方向にも移動してもよい）がなされたことを検知すると、制御部１１は設定項目を示すオブジェクトをスクロールして図２Ａにおいては表示されていない残りの設定項目を示すオブジェクトを表示させることができる。
【００２２】
図２Ａに示すように設定項目を一列に整列させて表示している状態において、割り込み表示対象のイベント（以降では第一イベントと呼ぶ）が発生したことを検知すると、制御部１１は、当該イベントの発生を示すオブジェクト（以降では第一イベントオブジェクトと呼ぶ）をｙ軸と平行に並ぶ設定項目の列の間に割り込ませて表示させる。この際、図２Ａの表示から図２Ｂの表示を経て図２Ｃの表示へ遷移する。
【００２３】
第一イベントオブジェクトの表示のさせ方についてより具体的に説明する。図２Ａに示すようにコピー機能に関する設定項目が一列に表示された状態で、例えば外部機器からユーザーＡとは別のユーザーＢによる印刷ジョブを受信すると、制御部１１はコピー機能設定時の外部からの印刷ジョブ受信というイベントが第一イベント（割り込み表示対象のイベント）に相当するか否かを判定し、相当する場合に制御部１１は第一イベントオブジェクトｂ１を図２Ｂおよび図２Ｃに示すように画面１２ａ１のｘ軸正方向側の端から出現させｘ軸負方向に向かってラインＬに第一イベントオブジェクトｂ１が到達するまで移動させる。このように、設定項目の整列方向と直交する方向に第一イベントオブジェクトｂ１を移動させながら列に加える構成の場合、設定項目の整列方向と同じ方向（整列方向と平行な方向）に第一イベントオブジェクトｂ１を移動させて列に加える場合と比較して、第一イベントオブジェクトｂ１が設定項目の列に加わっていく動きをユーザーに認識させやすい。なお本実施形態においては、第一イベントに相当しないイベント（割り込み表示対象ではないイベント）が発生した場合には、特に表示を変化させない。
【００２４】
また図２Ｂおよび図２Ｃに示すように、第一イベントオブジェクトｂ１の移動と並行して、制御部１１は、第一イベントオブジェクトｂ１の設定項目の列に対する加入予定位置より設定項目の整列順における前の設定項目を整列順における前側（ｙ軸負方向側）に移動させ、整列順における加入予定位置以降の設定項目を整列順における後ろ側（ｙ軸正方向側）に移動させる。最終的に第一イベントオブジェクトｂ１は、前後に移動した設定項目の間に表示される。
【００２５】
第一イベントオブジェクトｂ１の加入予定位置は、本実施形態においては設定項目領域１１０のｙ軸方向における中央付近に表示中の隣り合う２つのオブジェクトの間に設定される。すなわち本実施形態の場合、図２Ａに示すオブジェクトａ３とオブジェクトａ４との間に加入予定位置Ｐ（ｙ＝Ｙｐ）が設定される。制御部１１は、ｙ＜Ｙｐの領域に表示中のオブジェクトａ１〜ａ３をｙ軸負方向に移動させ、ｙ≧Ｙｐの領域に表示中のオブジェクトａ４〜ａ６をｙ軸正方向に移動させる。制御部１１は各オブジェクトを、加入予定位置Ｐにおいて列に加わる第一イベントオブジェクトｂ１と重ならない位置まで移動させる。具体的には本実施形態の場合、制御部１１は、第一イベントオブジェクトｂ１のｙ軸と平行な方向における長さの１／２程度の距離だけそれぞれのオブジェクトを移動させる。このように、設定項目領域１１０の中央付近に第一イベントオブジェクトｂ１を割り込ませることにより、設定項目領域１１０の端部付近に第一イベントオブジェクトｂ１を割り込ませる場合と比較して、よりユーザーの注意を惹きやすい構成とすることができる。また、第一イベントオブジェクトｂ１は吹き出しの形状をした枠に囲まれており、設定項目を示すオブジェクト（当該オブジェクトは枠に囲まれていない）の列内においてユーザーの注意を惹きやすい。
【００２６】
第一イベントオブジェクトｂ１が図２Ｂおよび図２Ｃに示すように移動して表示された後、図３Ａに示すようにｘ軸負方向への移動を少なくとも伴うスワイプ操作（第一操作に相当する。ｙ軸と平行な方向にも移動していてもよい）が行われたことを検知すると、制御部１１は第一イベントオブジェクトｂ１の表示を終了し、図３Ｂに示すように第一イベントの状態を示すとともに第一イベントに対処するためのダイアログ２００（第一イベント詳細オブジェクトに相当する）を表示する。ダイアログ２００の枠も吹き出しの形状をしており、吹き出しの指す位置のｙ座標が第一イベントオブジェクトｂ１の吹き出しが指す位置のｙ座標と同じ（ｙ＝Ｙｐ）であることにより、ダイアログ２００が第一イベントオブジェクトｂ１と関係する表示であることをユーザーに認識させやすい。
【００２７】
ダイアログ２００は第一イベントのタイトルを表示するタイトル領域２１０と領域２２０とを含む。領域２２０には、ユーザーＢからの印刷ジョブの状態を示す図柄２２１および文字２２２と、ユーザーＢからの印刷ジョブに対する中止指示をユーザーＡから受け付けるための「印刷中止」ボタン２２３が表示されている。なお、図２Ｃに示すように第一イベントオブジェクトｂ１が表示された状態で第一イベントオブジェクトｂ１に対してタップ操作（第一操作に相当する）がなされたことを検知した場合にも制御部１１は図３Ｂに示すダイアログ２００を表示してもよい。
【００２８】
図３Ｂに示すダイアログ２００が表示された状態で図３Ｃに示すようにダイアログ２００に対してｘ軸正方向への移動を少なくとも伴うスワイプ操作がなされた（「印刷中止」ボタン２２３に対する操作はなされずにスワイプ操作がなされた）ことを検知すると、制御部１１はダイアログ２００の表示を終了し、第一イベントオブジェクトｂ１を割り込ませる前の表示状態、すなわち図２Ａに示す状態にオブジェクトａ１〜ａ６の位置を戻して表示する。その場合、第一イベントに対応する印刷処理は印刷部１３によって実行される。制御部１１は印刷処理が実行中であることを示すアイコン等を設定項目の列外において表示するようにしてもよい（例えば図４Ｃのアイコン１２１）。
【００２９】
また、図３Ｂに示すようにダイアログ２００が表示されている状態で、「印刷中止」ボタン２２３がタップされたことを検知すると、制御部１１はユーザーＡからの印刷ジョブを中止し、当該印刷ジョブに対応する印刷を印刷部１３に実施させない。そして制御部１１はダイアログ２００の表示を終了し、第一イベントオブジェクトｂ１を割り込ませる前の表示状態、すなわち図２Ａに示す状態にオブジェクトａ１〜ａ６の位置を戻して表示する。
【００３０】
なお、図２Ｃに示すように第一イベントオブジェクトｂ１が表示された状態で、第一イベントオブジェクトｂ１に対して図４Ｂに示すようにｘ軸正方向への移動を少なくとも伴うスワイプ操作（第二操作に相当する）がなされたことを検知すると、制御部１１は第一イベントオブジェクトｂ１の表示を終了し、第一イベントオブジェクトｂ１を割り込ませる前の表示状態、すなわち図２Ａに示す状態にオブジェクトａ１〜ａ６の位置を戻して表示する。その場合、第一イベントに対応する印刷処理は印刷部１３によって実行される。制御部１１は印刷処理が実行中であることを示すアイコン等を設定項目の列外において表示するようにしてもよい（例えば図４Ｃのアイコン１２１）。
【００３１】
なお、図２Ｃに示すように第一イベントオブジェクトｂ１が表示された状態においても、制御部１１は、設定項目領域１１０に表示されている設定項目に対する操作を受け付けることができる。例えば、図２Ｃに示すように第一イベントオブジェクトｂ１が表示された状態でオブジェクトａ２に含まれる「モノクロ」領域ａ２２がタップされたことを検知すると、制御部１１は「カラー／モノクロ」設定項目に関する設定値をそれまで選択されていた「カラー」から「モノクロ」に変更する。また、設定項目領域１１０内においてｙ軸と平行な方向への移動を少なくとも伴うスワイプ操作がなされたことを検知すると、制御部１１は設定項目領域１１０内において設定項目を示すオブジェクトや第一イベントオブジェクトｂ１をスクロールする。このように第一イベントオブジェクトｂ１に対する操作をユーザーＡが行わない場合、第一イベントオブジェクトｂ１は列内に表示されたままであるが、ユーザーは設定項目に対する操作が可能である。また第一イベントオブジェクトｂ１に対する操作をユーザーＡが行わない場合、第一イベントに対応する印刷処理は印刷部１３によって実行される。
【００３２】
以上説明したように、本実施形態の場合、設定項目を示すオブジェクトは一列に整列して並べられており、ユーザーはこの列の並び（流れ）に沿って設定項目を視認し、設定項目を示すオブジェクトに対して操作を行う。第一イベントオブジェクトｂ１は設定項目を示すオブジェクトの列が表示される設定項目領域１１０内において設定項目を示すオブジェクトの列に加えて表示されるため、ユーザーは設定項目の列の並び（流れ）に沿って第一イベントオブジェクトｂ１を視認することができる。したがって本実施形態の場合、設定項目が表示されている画面領域の上にポップアップオブジェクトを重ねて表示させる従来の構成と比較すると、設定項目に対する操作の中断をユーザーに感じさせにくい状態で第一イベントの発生をユーザーに報知することができる。その結果、イベント報知の前後における操作性を従来の構成より向上させることができる。
【００３３】
２．他の実施形態：
尚、本発明の技術的範囲は、上述した実施例に限定されるものではなく、本発明の要旨を逸脱しない範囲内において種々変更を加え得ることは勿論である。例えば、上記実施形態では本発明をＭＦＰに適用した例を説明したが、本発明は、ＭＦＰとは別体のＭＦＰの制御装置（例えばパーソナルコンピューターやスマートフォンやタブレット端末等）に適用することも可能である。また、ユーザーが行う操作は、タッチパネルに対する操作に限定されず、マウス等のポインティングデバイスを用いた操作でももちろんよい。
【００３４】
また、上記実施形態では、加入予定位置の両側に表示中の設定項目をそれぞれ逆方向に移動させることによって生じた領域に第一イベントオブジェクトを挿入する例を説明したが、もちろん両側ではなくて片側の設定項目のみ移動させてもよい。また、表示中の設定項目の列の間に第一イベントオブジェクトが挿入される場合に限定されず、例えば表示中の設定項目の先端よりも先、または末端よりも後に第一イベントオブジェクトを加えてもよい。
【００３５】
さらに、加入予定位置は、発生したイベントに関連する設定項目の表示位置に応じて設定されてもよい。具体的には例えば、用紙切れ（印刷媒体の残量が０になった）イベントが発生した場合は、用紙サイズに関する設定項目に隣接して（設定項目の整列順の前か後に）当該イベントに関する第一イベントオブジェクトを表示するようにしてもよい。用紙切れイベントの発生をユーザーが認識した結果、ユーザーが例えばコピーに使用する用紙の設定値を違うサイズに変更する操作を行う可能性があるため、第一イベントオブジェクトの視認からその後の用紙サイズの設定項目の視認までのユーザーの視線移動距離を少なくすることができる。また、第一イベントの発生の前に最後にユーザーがタッチした位置（あるいは第一イベント発生時のポインティングデバイスのカーソルの位置）の近傍に加入予定位置が設定されてもよい。この場合も、当該位置から第一イベントオブジェクトまでのユーザーの視線移動距離を少なくできる可能性がある。
【００３６】
なお、発生したイベントの種類に応じて、設定項目の列にイベントを示すオブジェクトを加えて表示するパターンと、設定項目の列に加えないで列外にイベントを示すオブジェクトを表示するパターンとを切り替えてもよい。具体的には例えば、重要度や緊急度が高く設定されているイベント（第一イベント）は設定項目の列に加えて表示し、それ以外のイベント（第二イベント）は例えば図４Ｃのアイコン１２１（本例の場合アイコン１２１は第二イベントオブジェクトに相当する）に示すように最初から設定項目の列外に表示するようにしてもよい。具体的には例えば、用紙切れイベントはユーザーＡがコピー機能に関する設定をしている場合はコピー機能の設定項目の列に加えて表示させるが、ユーザーＡがスキャン機能に関する設定をしている場合は、スキャン機能の設定項目の列には加えず列外に表示させる。なぜなら、スキャン機能においては用紙切れイベントは緊急に対処する必要のないイベントと考えられるためである。そうすることで、ユーザーＡによる緊急の対処を特に必要としない第二イベントを示す第二イベントオブジェクトも列に加えて表示される場合と比較してユーザーＡを本来行おうとしている操作に集中させることができる。
【００３７】
なお、設定項目の列は２列以上あってもよく、第一イベントオブジェクトは少なくともいずれか一つの列に加えて表示されてもよい（複数の列に渡って第一イベントオブジェクトが加えられて表示されてもよい）。また、設定項目の列はｘ軸と平行に並んでいてもよい。
【符号の説明】
【００３８】
１…ＭＦＰ、１１…制御部、１２…ユーザーＩ／Ｆ部、１２ａ…タッチパネル、１２ａ１…画面、１２ｂ…キー入力部、１３…印刷部、１４…画像読取部、１５…通信Ｉ／Ｆ部、１００…タイトル領域、１１０…設定項目領域、１２１…アイコン、２００…ダイアログ、２１０…タイトル領域、２２０…領域、２２２…文字、２２３…ボタン、ａ１〜ａ６…オブジェクト、ｂ１…第一イベントオブジェクト、Ｌ…ライン、Ｐ…加入予定位置
【図１】
2017040992.tif 000003
【図２】
2017040992.tif 000004
【図３】
2017040992.tif 000005
【図４】
2017040992.tif 000006